(57)【要約】      （修正有）【課題】蚊が水たまりに入ることを防止するとともに、水たまりに入ってきても、薬の効果により蚊が発生するのを防ぐ、蚊撲滅、薬剤付き投網ネットを提供する。【解決方法】細かいメッシュ状の網面１で、網面の端には錘になる鎖２を付けた投網式の網であり、薬粒９を入れた袋１１を網面や網面の端にぶら下げておいたり、網面の端を２〜３重にして、その折り目の中へ薬粒を入れておく。薬が雨により水に流されずに薬の効果を発揮する。また、でこぼこの地面にも網面の端には錘になる鎖があるために隙間や空間ができないように柔軟に対応できて、蚊が進入するのを防ぐことができる。【選択図】図７
0003201173.tif 000002
【実用新案登録請求の範囲】
【請求項１】
蚊が通らない細かいメッシュ状の網面で、その網面の周りの端は錘の鎖を付けておいた投網式の網であり、水たまりにかぶせておくことにより、蚊の進入を防止するとともに、蚊の成虫化を阻害する薬粒を入れた小さな袋をＳ字金具で網面や網の端に引っかけて、吊るして置くことにより網面や網面の端が水の中に入っても蚊を発生させないことを特徴とする、蚊撲滅、薬剤付き投網ネット。
【請求項２】
蚊が通らない細かいメッシュ状の網面で、その網面の周りの端は錘の鎖を付けておいた投網式の網であり、水たまりにかぶせておくことにより、蚊の進入を防止するとともに、蚊の成虫化を阻害する薬粒を、網の端を２〜３重にしてその折れ目の中に薬粒を入れておくことにより網面や網面の端が水の中に入っても蚊を発生させないことを特徴とする、蚊撲滅、薬剤付き投網ネット。
【考案の詳細な説明】
【技術分野】
【０００１】  建物の外部にある雨水枡、側溝や水の入ったいろいろなバケツ、アキカンの容器に蚊が産卵してボウフラを生むのを防ぐことに関するものである。
【背景技術】
【０００２】  蚊を殺したりする薬品や装置、蚊が嫌う匂いを分散させて寄せ付けない装置や人体の周りを囲って近ずかない装置や薬品、例えば蚊が幼生（ボウフラ）から、成虫になる課程を阻害する幼若ホルモン、類縁体、ピリプロキシフェンが徐々に水に溶けてゆき、蛹化や、成虫化の変態阻害作用で殺虫効果を発現する、人体無害の薬品は存在する。
【先行技術】
【０００３】  昆虫の趨光性を利用したり、高電圧で殺虫する装置や、薬液を噴霧させて蚊を死滅させる方法が取られている。また、蚊が嫌う匂いを分散させて、寄せ付けない装置や機器は多数あるが、蚊の発生に対してはほとんど無効である。よくある蚊の対策製品としては次のようなものがある。
１、電撃殺虫灯。
２、超音波式虫除けバンダナ。
３、香取線香。
４、水たまりや小さい池に金魚や小魚をかっておき、蚊の幼虫のボウフラを食べさせる。
５、水の入った容器に蓋をかぶせる。または、ひっくり返して水を出しておいてボウフラ    を生まないようにする。
６、殺虫剤をまく。しかし、人体に危険を及ぼす可能性がある。
７、蚊帳を居間や寝室につる。昔は夏になると寝るときは吊っておき蚊が入るのを防いで    いた。今はアフリカなどで使用されている。
８、最近、ボウフラから成虫への変態を止める、昆虫の生理性物質、幼若ホルモン類縁体    であるピリプロキシフェンが発泡体の個体として開発されている。頼めば各都道府県    の市役所で道路の側溝などに撒いてくれて効果が出ている場所もあるが雨が降り、水    が流れていくと、薬をまいても薬が流されて無効となる。
９、ハーブによる虫除けバンダナ。しかし、あまり効果がない。
▲１▼，殺虫効果が不完成。
▲２▼、忌避剤で、しかも局所以外は防御できない。
▲３▼、散歩などの移動中は防御できないといった状況が考えられ、蚊に刺されること          を減らすことができても完全に駆除はできない。
【考案の概要】
【０００４】家の周りの蚊が産卵する水たまり、例えば雨水枡、植木鉢の受け皿、側溝、バケツなどの容器、小さな池など水の溜まるところは多い。その水に蚊がボウフラを生むのを防ぐために蚊が侵入しない細かいメッシュ状，メッシュ１８〜２４の網面でポリプロピレン、ポリオレフィン、ポリエチレン、ポリエステル樹脂やその樹脂の合成でつくり、水の入った容器、側溝や小さな池にかぶせる。その網面は丸、四角、長方形であり、網面の端には投網式でいろいろな種類の錘になる鎖を付けておく。さらに、網面の端や網面には薬粒を入れる袋をつるしておき、その中に薬粒、例えばピリプロキシフェンなどを入れておく。本考案を投網式の網にして水たまりに撒いておくことにより、蚊が水たまりに入ることを防止するとともに、水たまりに入ってきても、薬の効果により蚊が発生するのを防ぐ、蚊撲滅、薬剤付き投網ネット。
【考案が解決しようとする課題】
【０００５】今、地球は温暖化により、日本だけでなくアジア、ヨーロッパ、中南米、中東などすべてのところで蚊が猛烈に発生して増加している。蚊の一種はマラリア、日本脳炎、西ナイル熱、デング熱、チクングニア熱などのいろいろな病気を媒介する。これを防ぐためにはボウフラを生み、蚊を発生さすいろいろな水たまりをなくしたり、蚊が水たまりに侵入しないようにする方法を考えて実行をしなければならない。その地道な努力をしなければやがて人類は多くの病気をかかえる事態になる。
【考案を解決するための手段】
【０００６】蚊が通らない細かいメッシュ状でメッシュ１８〜２４であり、大きさは大、中、小であり、形は丸型、正方形、長方形とつくり、その網の端は糸で縫い付けたり、熱で圧着したり、接着したりして、２〜３重にしてその中に投網式の錘になる鎖を入れておいてでこぼこの地面にも隙間のないようにして置けるようにしておく。また、網の端や網面には一定間隔に薬品を入れた袋をＳ字金具で取り付けておいたり、網面の端の２〜３重の折り込みの中へ薬粒を入れて置いたりする。網面の真ん中を握って、アキカン、バケツ、雨水枡、側溝、小さな池、庭の草木などに放り投げて、水たまりの周りの地面や場所に鎖が行くようにしてかぶせる。蚊の増殖には人、その他の生き物の赤血球が必須で、そのために蚊は炭酸ガス、熱を発する哺乳類を刺して血液を吸引する。つまり、雌の蚊のみが吸血し、水たまりなどに産卵する習性を持つ。本考案は蚊が通れない細かい網面と薬を入れた袋により、蚊が水に進入しなくして、水に浸かっても蚊の成虫化を阻害する薬により殺虫を発現する。薬は水たまりに長時間つけておいても効果があり、雨が降って水が流れても袋の中や網の端の折り目の中に入れてあるために流されることはない。薬の効果は水、１ｔｏｎに対して１０ｇで十分の効果があることが証明されている。常に水が溜まっている雨水枡、側溝、植木鉢の受け皿などの水たまりは約１〜３リットルであり、０．０１〜０．０３ｇの薬の放出で十分に効果が見込まれる。なお、小さなドブ川の場合では多くの薬粒で対応する。この薬であるピリプロキシフェンは人体には無害であることが証明されており、いくら投入しても環境汚染にはならない。
【考案の効果】
【０００７】蚊が産卵する水たまり、例えば雨水枡、側溝、小さい池、アキカン、バケツなどの水たまりに本考案をかぶせたりしておくことにより、蚊が水たまりに進入できずに卵を産むことができない。また、本考案の網面の端や網面が水につかっても網に付けた薬袋の中の薬の効果により、蚊の幼虫が生体にならず、長期的に蚊の発生を抑えることができて、蚊が媒介する諸種の病気の発生を抑えることができるとともに、蚊に刺されて惹起される不快な痒感を避けられる効果がある。医学的にも、人間の生活上にも、人類の存続のためにも、多大な効果が期待できる。
【図面の簡単な説明】
【０００８】
【図１】  正面図  ▲１▼丸型  ▲２▼正方形  ▲３▼長方形
【図２】  側面図  ▲１▼丸型  ▲２▼正方形  ▲３▼長方形
【図３】  上からの図  ▲１▼丸型  ▲２▼正方形  ▲３▼長方形
【図４】  斜めからの図  ▲１▼丸型  ▲２▼正方形  ▲３▼長方形
【図５】  いろいろな場所にセットした図  ▲１▼小さい容器  ▲２▼側溝、▲３▼池  ▲４▼庭の草木  ▲５▼凸凹の場所  ▲６▼雨水枡
【図６】  薬を入れた袋
【図７】  Ｓ字金具で網に袋を取り付けた図
【図８】  網の端を２〜３重にして、その折れ目の中へ薬を入れた図
【符号の説明】
【０００９】▲１▼網面
▲２▼網面の端の錘になる鎖
▲３▼水たまり
▲４▼庭の草木
▲５▼側溝
▲６▼池
▲７▼水の入った容器、バケツ、アキカンなど
▲８▼雨水枡
▲９▼薬
▲１０▼Ｓ字金具
▲１１▼薬を入れる網袋
▲１２▼地面
【考案を実施するための形態】
【００１０】  １、水たまりの大きさで本考案の大きさの大、中、小を選んだり、丸、四角、長方形の      形を選ぶ。
２、薬粒を薬袋に入れて網に薬袋をぶら下げる。薬袋は水たまりに袋の位置がくるよう      に取り付ける。
３、建物の周りの水たまりに本考案をかぶせる。
４、網の端の錘の鎖の部分が開いていないか調べる。隙間があれば網と鎖を伸ばして塞      ぐ。
【実施例】１、雨水枡【００１１】  建物の周りにはトユや他の枡から流れてくる雨水枡がある。底には常に水がある。雨水  枡の蓋の上に本考案の大きさの小を置いて、蚊の進入を防ぐ。
２、側溝【００１２】  家の周りには道と庭の間に側溝がある。その側溝の水の溜まっているところへ本考案を  かぶせる。溝の側面と底辺に隙間が開かないように網と鎖を丁寧に置く。大きさは小、  又は中とする。
３、小さい池【００１３】  池の周りの縁に御考案を設置する。大きさは大とする。
４、草木、【００１４】  蚊が発生しそうな庭にある草木や葉っぱの上に本考案をかぶせる。大きさは大とする。
５、バケツ、アキカン【００１５】  水の入ったバケツ、アキカンの上から本考案をかぶせる。大きさは小、又は中とする。
【産業上の利用可能性】
【００１６】  蚊は多くの重大な病気、例えばマラリア、日本脳炎、西ナイル熱、デング熱、チクングニア熱などを媒介する有害な虫である。本考案で蚊の増加を防ぐことは蚊が媒介する諸種の病気を防止し、抑えることができるとともに蚊に刺されて惹起される不快な痒感を避けられることにより、人間が毎日生活し、生きてゆく上で多大な貢献をする。
【図１】
0003201173.tif 000003
【図２】
0003201173.tif 000004
【図３】
0003201173.tif 000005
【図４】
0003201173.tif 000006
【図５】
0003201173.tif 000007
【図６】
0003201173.tif 000008
【図７】
0003201173.tif 000009
【図８】
0003201173.tif 000010